(57)【要約】【課題】異なる断面形状の意匠部材を取付けた場合にも対応できる小口閉塞部材とする。【解決手段】本体１０と補強部材２０で補強部３０ａを有する形材本体３０と、その補強部材２０に取付けた意匠部材４０からなる召合せ框９に用いる上部小口閉塞部材５０、下部小口閉塞部材６０であって、前記上部小口閉塞部材５０は補強部材２０、意匠部材４０の上部の小口をそれぞれ閉塞する別体の第１上部閉塞部材５１と第２上部閉塞部材５２を備え、下部小口閉塞部材６０は補強部材２０、意匠部材４０の下部の小口をそれぞれ閉塞する別体の第１下部閉塞部材６１と第２下部閉塞部材６２を備え、異なる断面形状の意匠部材４０を取付けた場合に、その第１上部閉塞部材５１、第１下部閉塞部材６１を共通として第２上部閉塞部材５２、第２下部閉塞部材６２を変えることで対応できる。【選択図】      図２
2004293243.tif 000002
【特許請求の範囲】
【請求項１】
本体１０の室内側部に補強部材２０を設けることで、その本体１０の室内側部に中空形状の補強部３０ａを有する形状とした形材本体３０と、この補強部材２０の室内側部に取付けた意匠部材４０より成るサッシ用形材の補強部材２０、意匠部材４０の小口を閉塞する小口閉塞部材であって、
前記補強部材２０の小口を閉塞する第１閉塞部材と、この第１閉塞部材とは別体で意匠部材４０の小口を閉塞する第２閉塞部材で構成したことを特徴とする小口閉塞部材。
【請求項２】
第１閉塞部材は、補強部３０ａの中空部に嵌合して取付けられる形状で、第２閉塞部材は意匠部材４０の内部に嵌合して取付けられる形状である請求項１記載の小口閉塞部材。
【請求項３】
補強部材２０と意匠部材４０の上部の小口を閉塞する上部小口閉塞部材５０と、補強部材２０と意匠部材４０の下部の小口を閉塞する下部小口閉塞部材６０を備え、
前記上部小口閉塞部材５０は、補強部材２０の上部の小口を閉塞する第１上部閉塞部材５１と、意匠部材４０の上部の小口を閉塞する第２上部閉塞部材５２を有し、前記第１上部閉塞部材５１の室内側部と第２上部閉塞部材５２の室外側部が重なり合う形状で、
前記下部小口閉塞部材６０は、補強部材２０の下部の小口を閉塞する第１下部閉塞部材６１と、意匠部材４０の下部の小口を閉塞する第２下部閉塞部材６２を有し、前記第１下部閉塞部材６１の室内側部の上面に第２下部閉塞部材６２の室外側部の下面が重なり合う形状である請求項１又は２記載の小口閉塞部材。
【請求項４】
本体１０の室内側部に補強部材２０を設けることで、その本体１０の室内側部に中空形状の補強部３０ａを有する形状とした形材本体３０と、この補強部材２０の室内側部に取付けた意匠部材４０と、前記補強部材２０、意匠部材４０の上部の小口、下部の小口を閉塞する上部小口閉塞部材５０、下部小口閉塞部材６０を備え、
前記上部小口閉塞部材５０は、補強部材２０の上部の小口を閉塞すると共に、その閉塞した状態で意匠部材４０が補強部材２０に沿って長手方向にスライド可能な形状の第１上部閉塞部材５１と、意匠部材４０の上部の小口を閉塞する第２上部閉塞部材５２から成り、
前記下部小口閉塞部材６０は、補強部材２０の下部の小口を閉塞する第１下部閉塞部材６１と、意匠部材４０の下部の小口を閉塞する第２下部閉塞部材６２から成り、
前記意匠部材４０は、補強部材２０に沿って長手方向にスライド移動することで取付け、取外しできることを特徴とする小口閉塞部材を備えたサッシ用形材。
【請求項５】
本体１０がサッシ枠１内に設けられ、補強部材２０の室内側部分と意匠部材４０がサッシ枠１よりも室内側に突出し、
意匠部材４０を取付け、取外しする際の移動ストロークは、サッシ枠１の取付開口部の上部と意匠部材４０の上端面との間の間隔よりも小さい請求項４記載の小口閉塞部材を備えたサッシ用形材。
【発明の詳細な説明】
【０００１】
【発明の属する技術分野】
本発明は、主として、引違いサッシの障子に用いる召合せ框、片引きサッシの召合せ竪中骨などのスライディングサッシの召合せ部に用いられる補強部を有するサッシ用形材の小口閉塞部材及び、その小口閉塞部材を備えたサッシ用形材に関する。
【０００２】
【従来の技術】
引違いサッシの障子に用いる召合せ框や片引きサッシの召合せ竪中骨などは、障子が装着される本体の室内側部に補強部材を設けて補強部を有する形状として耐風圧性を向上している。
すなわち、召合せ框や召合せ竪中骨はサッシ枠の左右方向（面内方向）中間に位置し、その上下部がサッシ枠に支持されているだけであるから、強風雨などで湾曲変形し易いので、補強部を有する形状として剛性をアップすることによって耐風圧性を向上している。
【０００３】
前述した補強部材は、一般的にコ字形状であって、その補強部材の上部、下部に小口閉塞部材をそれぞれ取付け、上部の小口と下部の小口を閉塞している。
例えば、特許文献１に示すように、本体にコ字状の補強部材を一体的に設けて中空形状の補強部とし、その上部の小口と下部の小口に小口閉塞部材をそれぞれ取付けている。
【０００４】
【特許文献１】
実開昭５６−１５３５９０号公報
【０００５】
【発明が解決しようとする課題】
前述のスライディングサッシは一般に、建物躯体の開口部に取付けられ、そのサッシ枠の室内側部分、障子の室内側部分が室内から目視される。
一方、近年居住者の好みや室内のトータル意匠に合致したサッシの室内側部分の意匠が要求されている。
前述の意匠とは、形状・模様・色彩などである。
しかしながら、室内側部分の意匠が異なるサッシ用形材を種々製作準備することはコスト的に不利である。
【０００６】
前述のサッシ枠を形成する上枠、下枠、縦枠の室内側部分は、回り縁によって覆って室内から見えないようにできるから前述の要求を満足できるが、障子を形成する上框、下框、戸当り框、召合せ框の室内側部分は室内から見え、前述の要求を満足するには、それらの框の室内側部分の意匠を居住者の好みや、室内のトータル意匠に合致した意匠としなければならない。
特に、召合せ框はサッシの見付け方向中間部に縦向きに位置していると共に、耐風圧の関係等から見付け寸法が大きいので、その召合せ框の室内側部分が著しく目立つ。
このために、サッシを形成する各サッシ形材の中でも召合せ框の室内側部分の意匠を居住者の好みや、室内のトータル意匠に合致した意匠とすることが要求されている。
【０００７】
このことを解消するには、補強部材の室内側部に意匠部材を取付け、その意匠部材によって室内側部分の意匠を変えるようにすることが考えられるが、このようにした場合には補強部材と意匠部材の上下の小口に亘って小口閉塞部材を取付けることになる。
したがって、小口閉塞部材も、意匠部材に対応できるものが望まれる。
【０００８】
本発明は、前述の課題に鑑みなされたものであって、その目的は、断面形状が異なる種々の意匠部材を取付けたサッシ用形材に対応できる小口閉塞部材及びその小口閉塞部材を備えたサッシ用形材を提供することである。
【０００９】
【課題を解決するための手段】
第１の発明は、本体１０の室内側部に補強部材２０を設けることで、その本体１０の室内側部に中空形状の補強部３０ａを有する形状とした形材本体３０と、この補強部材２０の室内側部に取付けた意匠部材４０より成るサッシ用形材の補強部材２０、意匠部材４０の小口を閉塞する小口閉塞部材であって、
前記補強部材２０の小口を閉塞する第１閉塞部材と、この第１閉塞部材とは別体で意匠部材４０の小口を閉塞する第２閉塞部材で構成したことを特徴とする小口閉塞部材である。
【００１０】
第２の発明は、第１の発明において第１閉塞部材は、補強部３０ａの中空部に嵌合して取付けられる形状で、第２閉塞部材は意匠部材４０の内部に嵌合して取付けられる形状である小口閉塞部材である。
【００１１】
第３の発明は、第１又は第２の発明において補強部材２０と意匠部材４０の上部の小口を閉塞する上部小口閉塞部材５０と、補強部材２０と意匠部材４０の下部の小口を閉塞する下部小口閉塞部材６０を備え、
前記上部小口閉塞部材５０は、補強部材２０の上部の小口を閉塞する第１上部閉塞部材５１と、意匠部材４０の上部の小口を閉塞する第２上部閉塞部材５２を有し、前記第１上部閉塞部材５１の室内側部と第２上部閉塞部材５２の室外側部が重なり合う形状で、
前記下部小口閉塞部材６０は、補強部材２０の下部の小口を閉塞する第１下部閉塞部材６１と、意匠部材４０の下部の小口を閉塞する第２下部閉塞部材６２を有し、前記第１下部閉塞部材６１の室内側部の上面に第２下部閉塞部材６２の室外側部の下面が重なり合う形状である小口閉塞部材である。
【００１２】
第４の発明は、本体１０の室内側部に補強部材２０を設けることで、その本体１０の室内側部に中空形状の補強部３０ａを有する形状とした形材本体３０と、この補強部材２０の室内側部に取付けた意匠部材４０と、前記補強部材２０、意匠部材４０の上部の小口、下部の小口を閉塞する上部小口閉塞部材５０、下部小口閉塞部材６０を備え、
前記上部小口閉塞部材５０は、補強部材２０の上部の小口を閉塞すると共に、その閉塞した状態で意匠部材４０が補強部材２０に沿って長手方向にスライド可能な形状の第１上部閉塞部材５１と、意匠部材４０の上部の小口を閉塞する第２上部閉塞部材５２から成り、
前記下部小口閉塞部材６０は、補強部材２０の下部の小口を閉塞する第１下部閉塞部材６１と、意匠部材４０の下部の小口を閉塞する第２下部閉塞部材６２から成り、
前記意匠部材４０は、補強部材２０に沿って長手方向にスライド移動することで取付け、取外しできることを特徴とする小口閉塞部材を備えたサッシ用形材である。
【００１３】
第５の発明は、第４の発明において本体１０がサッシ枠１内に設けられ、補強部材２０の室内側部分と意匠部材４０がサッシ枠１よりも室内側に突出し、
意匠部材４０を取付け、取外しする際の移動ストロークは、サッシ枠１の取付開口部の上部と意匠部材４０の上端面との間の間隔よりも小さい小口閉塞部材を備えたサッシ用形材である。
【００１４】
【作  用】
第１の発明によれば、形材本体３０の補強部材２０の室内側部に、断面形状の異なる意匠の意匠部材４０を取付けることで形材本体３０を共通して室内側部分の意匠が異なるサッシ用形材とした場合に、補強部材２０の小口を閉塞する第１閉塞部材を共通とし、意匠部材４０の小口を閉塞する第２閉塞部材のみを、その意匠部材４０の断面形状に合わせて変更することで対応できる。
【００１５】
第２の発明によれば、第１閉塞部材は補強部３０ａの中空部に嵌合して取付けられるし、第２閉塞部材は意匠部材４０の内部に嵌合して取付けられるから、第１・第２閉塞部材を強固に取付けできると共に、簡単に取付け、取外しできる。
【００１６】
第３の発明によれば、上部小口閉塞部材５０によって補強部材２０、意匠部材４０の上部の小口を閉塞できるし、その第１上部閉塞部材５１の室内側部と第２上部閉塞部材５２の室外側部が重なり合っているから、その第１・第２上部閉塞部材５１，５２の間に隙間が生じることがない。
また、下部小口閉塞部材６０によって補強部材２０、意匠部材４０の下部の小口を閉塞できるし、その第１下部閉塞部材６１の室内側部の上面に第２下部閉塞部材６２の室外側部の下面が重なり合っているから、この下部小口閉塞部材６０によって結露水を受けて室外側に排水するようにした場合に、第２下部閉塞部材６２に流れ落ちた結露水が第１下部閉塞部材６１にスムーズに流れ、その両者の間から結露水が洩れることがない。
【００１７】
第４の発明によれば、第１上部閉塞部材５１と下部小口閉塞部材６０を取付けたままで、第２上部閉塞部材５２のみを取外しすることで、意匠部材４０を取付け、取外しできる。
【００１８】
第５の発明によれば、サッシ枠１を建物の取付開口部に取付け、サッシ用形材をサッシ枠１に設けた状態で、第２上部閉塞部材５２のみを取外しすることで、意匠部材４０を取付け、取外しできるから、サッシを建物に取付けた状態で、意匠部材４０が損傷した場合などに、その意匠部材４０を交換できる。
よって、このサッシ用形材は障子の召合せ框、召合せ竪中骨として好適である。
【００１９】
【発明の実施の形態】
図１に示すように、サッシ枠１に障子２を開閉自在に装着してスライディングサッシＡとしてある。
この実施の形態では、サッシ枠１の室内寄り部と室外寄り部に障子２を面内方向にスライド自在にそれぞれ装着した引違いサッシとしてある。これに限ることはなく片引きサッシでも良い。
前記サッシ枠１は上枠３、下枠４、左右の縦枠５を方形枠組みしてあり、その上枠３、下枠４、縦枠５の室内側部分が室内から見える。なお、回り縁等で見えないようにすることも可能である。
前記障子２は上框６と下框７と戸当り框８と召合せ框９を方形枠組みしたもので、上框６、下框７、戸当り框８、召合せ框９の室内側部が室内から見える。
【００２０】
この実施の形態は障子を閉じた状態では室外寄り部に装着した障子２の召合せ框９が室内寄り部に装着した障子２の召合せ框９と重なり、室内から見えない。
よって、この実施の形態の引違いサッシにおいてはサッシ枠１の室内寄り部に装着した障子２（つまり、室内側障子）の召合せ框９の室内側部分の意匠が重要で、この召合せ框９が本発明に係るサッシ用形材ある。
【００２１】
前記室内側障子の召合せ框９は図２に示すように、本体１０の室内側部に補強部材２０を一体的に設けた形材本体３０と、その補強部材２０の室内側部に取付け、好ましくは着脱自在に取付けた意匠部材４０を備えている。
前記補強部材２０は見付け方向一側の見込み方向に向かう一側縦板２１と見付け方向他側の見込み方向に向かう他側縦板２２と見付け方向に向かう室内側縦板２３で断面ほぼコ字形状で、その一側縦板２１、他側縦板２２が本体１０の室内側面１０ａに一体的に設けてある。これによって、形材本体３０は、本体１０の室内側部に中空形状の補強部３０ａを有する。
前記本体１０はガラス装着部１１を有する。
前記意匠部材４０は室外側縦板４１と室内側縦板４２で中空部４０ｂを有する形状である。
【００２２】
図１に示すように、前記召合せ框９の上部には補強部材２０（補強部３０ａ）と意匠部材４０の上部の小口を閉塞する上部小口閉塞部材５０が取付けてある。
前記召合せ框９の下部には補強部材２０（補強部３０ａ）と意匠部材４０の下部の小口を閉塞する下部小口閉塞部材６０が取付けてある。
【００２３】
前記上部小口閉塞部材５０は図２、図３に示すように、補強部材２０の上部の小口を閉塞する第１上部閉塞部材５１と、意匠部材４０の上部の小口を閉塞する第２上部閉塞部材５２を備えている。
前記下部小口閉塞部材６０は図２、図３に示すように、補強部材２０の下部の小口を閉塞する第１下部閉塞部材６１と意匠部材４０の下部の小口を閉塞する第２下部閉塞部材６２を備えている。
【００２４】
前記召合せ框９の本体１０は図３に示すように、上枠３、下枠４の室内側縦板３ａ，４ａよりも室外側に位置し、上框６、下框７と連結される。つまり、本体１０はサッシ枠１内に設けてある。
前記補強部材２０の室内側部分は上枠３、下枠４の室内側縦板３ａ，４ａよりも室内側に突出している。つまり、補強部材２０の室内側部分、意匠部材４０はサッシ枠１よりも室内側に突出している。
例えば、図２と図３に示すように本体１０の上端面１０ｂは補強部材２０の上端面２０ａよりも上方に突出し、上枠３の室内側縦板３ａよりも室外側に位置し、補強部材２０の室内側部分が室内側縦板３ａよりも室内側に突出している。意匠部材４０の上端面４０ａは補強部材２０の上端面２０ａと同一高さである。
また、本体１０の下端面１０ｃは補強部材２０の下端面２０ｂよりも下方に突出し、下枠４の室内側縦板４ａよりも室外側に位置し、補強部材２０の室内側部分が室内側縦板４ａよりも室内側に突出している。意匠部材４０の下端面４０ｃは補強部材２０の下端面２０ｂの室内側部と同一高さである。
例えば、本体１０と補強部材２０を備えた形材本体３０をアルミ押出形材とし、その補強部材２０の上端部分と下端部分を切断して除去することで前述の形材本体３０としている。
【００２５】
次に、上部小口閉塞部材５０の具体形状の一例を説明する。
図４と図５と図６に示すように、第１上部閉塞部材５１は補強部材２０の上端面２０ａの外形形状とほぼ同一、好ましくは同一形状の横板５３と、この横板５３の下面に設けた突起部５４を有し、その突起部５４を補強部３０ａの中空部３０ｂに嵌合して取付けられる。
この実施の形態では、突起部５４の室外側面５４ａが本体１０の室内側面１０ａに接し、室内側面５４ｂが室内側縦板２３の内面に接し、左右側面５４ｃが一側・他側縦板２１，２２の内面に接する。前記室内側面５４ｂに弾性変形する押付片５５が設けてあり、この押付片５５が室内側縦板２３の内面に圧接して強固に取付けできるようにしてある。
また、この実施の形態では横板５３の室外側端部と連続して縦板５６を備え、この縦板５６が本体１０の室内側面１０ａに接するようにしてある。
【００２６】
前記第２上部閉塞部材５２は意匠部材４０の上端面４０ａの室内側部外形形状と前記補強部材２０の室内側部外形形状に合致した横板５７の下面に突起部５８を設けたもので、その突起部５８が意匠部材４０の内部、好ましくは中空部４０ｂに嵌合する。この実施の形態では室外側面５８ａが室外側縦板４１の内面に接し、室内側面５８ｂが室内側縦板４２の内面に接し、左右側面５８ｃは接しないが室内側縦板４２が円弧形状であるから左右に動かない。
そして、第１・第２上部閉塞部材５１，５２を召合せ框９に装着した際は、第２上部閉塞部材５２の室外側部が第１上部閉塞部材５１の室内側部と連続した状態となり、この第２上部閉塞部材５２を外すことで、第１上部閉塞部材５１を取付けたままで意匠部材４０を補強部材２０に対して長手方向に移動できるようにしてある。
【００２７】
この実施の形態では、補強部材２０は一対の突条片２４を有し、この一対の突条片２４と室内側縦板２３で室内側に開口した凹陥部２５を有する。
前記第１上部閉塞部材５１の室内側部（横板５３の室内側部）は前述の凹陥部２５に合致した凹部５３ａを有し、この凹部５３ａに沿った部分５３ｂの板厚は他の部分よりも薄くなってほぼコ字状の重なり凹部を形成している。
前記意匠部材４０は前述したように、室外側縦板４１と室内側縦板４２で中空形状、例えば、ほぼ半円形状の中空形状となり、その室外側縦板４１が前記一対の突条片２４の室内側面２４ａに当接して取付けられる。
前記第２上部閉塞部材５２（横板５７）は、前記意匠部材４０の上端面４０ａに接する室内側部（室内側横板５７ａ）と前記重なり凹部に重なり合う室外側部（室外側横板５７ｂ）を有し、図５（ａ）に示すように室外側部の板厚が室内側部よりも薄く、その室外側部が前記重なり凹部に重なり合うと図５（ｂ）に示すように両者の下面（横板５３の下面と横板５７の下面）が面一となるようにしてある。
【００２８】
すなわち、第１上部閉塞部材５１（横板５３）の室内側部に第２上部閉塞部材５２（横板５７）の室外側部が重なり合うようにして取付けられ、第１上部閉塞部材５１を取付けた状態で、第２上部閉塞部材５２を取付け、取外しできるようにしてある。
なお、第１上部閉塞部材５１（横板５３）の室内側部と第２上部閉塞部材５２（横板５７）の室外側部を重なり合わせずに突き合わせるようにしても良い。
【００２９】
次に、下部小口閉塞部材６０の具体形状の一例を説明する。
図７（ａ）に示すように、第１下部閉塞部材６１は横板６３の上面に突起部６４を設け、その突起部６４を図８に示すように形材本体３０の中空部３０ｂに嵌合して取付けるようにしてある。例えば、前述の第１上部閉塞部材５１の突起部５４と同様に嵌合する。
第２下部閉塞部材６２は横板６５の上面に突起部６６を設け、その突起部６６を図８に示すように意匠部材４０の内部、好ましくは中空部４０ｂに嵌合して取付ける。例えば、前述の第２上部閉塞部材５２の突起部５８と同様に嵌合する。
第１下部閉塞部材６１（横板６３）の室内側端部寄り上面に第２閉塞部材６２（横板６５）の室外側端部寄り下面を重ね合わせて図７（ｂ）のように着脱自在に連結される。例えば、第１下部閉塞部材６１（横板６３）の室内側端部寄り上面に係合片６７が上向きに設けられ、第２下部閉塞部材６２（横板６５）の室外側端部寄りに係合穴６８が形成され、その係合片６７を係合穴６８に係合して着脱自在に連結する。
【００３０】
前記第１下部閉塞部材６１と第２下部閉塞部材６２を連結した状態で前述のように補強部材２０、意匠部材４０の下部に取付けることで、補強部材２０の下端面２０ｂと意匠部材４０の下端面４０ｃを覆う。
【００３１】
この実施の形態では、第１下部閉塞部材６１（横板６３）は補強部材２０の左右両側面（一側縦板２１、他側縦板２２）よりも突出し、第２下部閉塞部材６２（横板６５）は意匠部材４０の室内側面よりも突出している。
そして、各突出部に沿って立上り片６３ａ，６５ａを図３、図７、図８に示すように一体的に設けて排水部を形成してある。
これによって、補強部材２０、意匠部材４０に発生した結露水を下枠４まで排水できるようにしてある。
なお、補強部材２０の下端面２０ｂは室内側部よりも室外側部が低く傾斜し、第１下部閉塞部材６１（横板６３）も、その下端面２０ｂに沿って傾斜しており、前述の結露水を排水し易くしてある。
【００３２】
また、この実施の形態では、第１下部閉塞部材６１の横板６３の室外側部と連続して縦板６９が一体的に設けてあり、この縦板６９が本体１０の室内側面１０ａと隙間を置いて対向している。
これによって、前述の結露水が本体１０の室内側面１０ａと縦板６９との間を通って流れ落ち、室内側に滴下したりしないようにしてある。
【００３３】
次に、意匠部材４０の取付けの一例を説明する。
図４に示すように、補強部材２０の凹陥部２５にベース部材２６を取付け、このベース部材２６に意匠部材４０を取付けるようにしてある。
前記ベース部材２６は、基板２７に見付け方向一対の押え片２８を設けた断面ほぼコ字形状で、その一対の押え片２８が補強部材２０の一対の突条片２４の内面２４ｂにそれぞれ接し、このベース部材２６は補強部材２０の凹陥部２５内に収納して取付けてある。そして、図９に示すように、基片２７から固着具、例えばビス２９を補強部材２０の室内側縦板２３に螺合して取付けられる。
前記意匠部材４０の室内側縦板４１には見付け方向一対の取付片４３と見付け方向一対の鉤形片４４が一体的に設けてある。
【００３４】
図９に示すように、ベース部材２６に樹脂製の第１取付受部材７０と金属製の第２取付受部材８０を長手方向に間隔を置いて固着部材、例えばビス７１，８１でそれぞれ固着してそれぞれ取付ける。このビス７１，８１はベース部材２６の基片２７を貫通して補強部材２０の室内側縦板２３に螺合している。
【００３５】
好ましくは、ベース部材２６の長手方向両端寄り部と長手方向中間部に第２取付受部材８０をそれぞれ取付け、この第２取付受部材８０間に第１取付受部材７０をそれぞれ取付ける。
このように、第１・第２取付受部材７０，８０を取付けることで、召合せ框９が強風雨などによってほぼ弓形に湾曲変形した際に、形材本体３０の長手方向両端寄り部、長手方向中間部と意匠部材４０の長手方向両端寄り部、長手方向中間部が第２取付受部材８０で見込み方向に強固に支持され、形材本体３０から意匠部材４０が外れることを確実に防止できる。
【００３６】
前記第１・第２取付受部材７０，８０は図１０、図１１に示すように、取付体７２，８２と一対の取付受片７３，８３を備え、その取付体７２，８２の孔７２ａ，８２ａからビス７１，８１を挿通し、図１２、図１３に示すようにベース部材２６（基片２７）を貫通して補強部材２０に螺合して固着される。
前記各取付受片７３，８３の室外側面７３ａ，８３ａがベース部材２６における第１・第２取付受部材７０，８０を取付けした取付面（前述の基片２７の室内側面）と見込み方向に間隔を置いて対向し、この第１取付受部材７０の取付受片７３が樹脂製の第１の取付受部で、第２取付受部材８０の取付受片８３が金属製の第２の取付受部である。
【００３７】
図９に示すように、前記意匠部材４０の一対の鉤形片４４における各第１・第２取付受部材７０，８０と対向した部分は切欠きされ、その切欠部４５に各第１・第２取付受部材７０，８０が嵌まり合うようにしてある。
このようであるから、意匠部材４０を見込み方向室外側に移動して各切欠部４５を各第１・第２取付受部材７０，８０に嵌め合わせ、一対の取付片４３をベース部材２６の基片２７に当接する。
この状態で意匠部材４０を長手方向にスライド移動し、図１２に示すように、前記第１取付受部材７０の取付受片７３の室外側面７３ａに、鉤形片４４の見付け方向に向かう片部４４ａを圧接すると共に、図１３に示すように、前記第２取付受部材８０の取付受片８３の室外側面８３ａと鉤形片４４の片部４４ａを見込み方向に隙間を置いて対向させて意匠部材４０をベース部材２６に取付ける。
前記意匠部材４０の長手方向の移動ストロークは、各取付片７３，８３の意匠部材４０の長手方向に向った長さに見合う程度で、意匠部材４０の長さに比べて著しく短い。
前記片部４４ａにおける第１取付受部材７０の取付受片７３の室外側面７３ａに圧接する部分が金属製の第１の取付部で、前記片部４４ａにおける第２取付受部８３の室外側面８３ａが対向する部分が金属製の第２の取付部である。
【００３８】
そして、鉤形片４４の片部４４ａと第１取付受部材７０の取付受片７３の室外側面７３ａの圧接部で意匠部材４０が室内側に動くことが規制され、前記取付片４３と基片２７の当接部で意匠部材４０が室外側に動くことが規制され、意匠部材４０がベース部材２６に対して見込み方向にがたつくことなしにしっかりと保持する。
なお、第１取付受部材７０の取付受片７３の室外側面７３ａにおける上部寄りは、室内側に向けて斜めで、前述の鉤形片４４の片部４４ａがスムーズに接触開始すると共に、取付受片７３を弾性変形させて強く圧接するようにしてある。
【００３９】
また、鉤形片４４の片部４４ａと第２取付受部材８０の取付受片８３の室外側面８３ａが隙間を置いて対向しているから、前述のように意匠部材４０を長手方向にスライドして取付ける際に弾性変形し難い取付受片８３と片部４４ａが干渉（接触）しないから、意匠部材４０の取付けの妨げにならない。
そして、形材本体３０が弓形に湾曲変形した際に第１取付受部材７０の取付受片７３が弾性変形し、片部４４ａが第２取付受部材８０の取付受片８３の室外側面８３ａに接し、意匠部材４０が形材本体３０から外れることを防止する。
【００４０】
前記第１取付受部材７０の取付受片７３の室外側面７３ａにはストッパ、例えば突片７４が設けてあり、前述のように意匠部材４０を長手方向にスライド移動して鉤形片４４の片部４４ａが取付受片７３の室外側面７３ａに接触してから所定のストローク移動すると前述の片部４４ａが突片７４に当接して意匠部材４０が長手方向に移動できないようにする。
よって、意匠部材４０を長手方向に位置決めし、その鉤形片４４の片部４４ａが取付受片７３の室外側面７３ａから外れないようにできる。
これと同時に、第２取付受部材８０の取付受片８３の室外側面８３ａから鉤形片４４の片部４４ａが外れないようにできる。
なお、この突片７４を設けなければ、鉤形片４４に切欠部４５を形成せずに意匠部材４０の長手方向一端部から長手方向他端部までに亘ってスライドして取付けることが可能である。
【００４１】
前述の各実施の形態における形材本体３０、ベース部材２６、意匠部材４０はアルミ押出し形材であるが、樹脂押出形材、成形材などを用いることもできる。また形材本体３０、ベース部材２６、意匠部材４０を異なる材質とすることも可能である。
【００４２】
前述のように、意匠部材４０を短いストローク移動することでベース部材２６に取付け、取外しできるので、図３に示すように室内側の障子２をサッシ枠１に装着したままの状態で第２上部閉塞部材５２を取外しすることによって意匠部材４０を取外しできる。このことによって、第１上部閉塞部材５１が取外しできない場合、例えば第１上部閉塞部材５１の室外側部分がサッシ枠１内に位置し、その第１上部閉塞部材５１を取り外しできない場合でも意匠部材４０を取外しできる。
例えば、図１４に示すように第２上部閉塞部材５２を取外し、第１上部閉塞部材５１を取付けた状態で意匠部材４０を矢印ａのように上方に所定ストローク移動して第１・第２取付受部材７０，８０を鉤形片４４の切欠部４５と対向させ、矢印ｂのように室内側に移動して取外しできる。
すなわち、サッシ枠１は図示しない建物の取付開口部に取付けられ、図３において意匠部材４０の上部には天井等の取付開口部の上部が存在しているので、意匠部材４０を長手方向全長に亘ってスライド移動できないが、前述の天井等の取付開口部の上部に干渉するまでは上方にスライド移動できる。
つまり、前述の意匠部材４０のベース部材２６に対する取付け、取外しに必要な移動ストローク（取付け、取外しする際の移動ストローク）は、前述の意匠部材４０の上端面４０ａと天井等の取付開口部の上部の間の間隔よりも小さければ良い。なお、第２下部閉塞部材６２の突起部６６を意匠部材４０の中空部４０ｂに嵌合して取付けた場合には、移動ストロークはその突起部６６の嵌合代よりも大きいことが必要である。
【００４３】
なお、前述のように意匠部材４０を短いストローク移動することで取付け、取外しできるようにするだけであれば、第１取付受部材７０のみを取付ければ良いし、ベース部材２６に一対の取付受片を一体的に設け、その一対の取付受け片の一部を切断除去して取付受片７３，８３と対応した部分のみを残存させるようにしても良い。
また、ベース部材２６を設けずに第１・第２取付受部材７０，８０又は第１取付受部材７０を補強部材２０（室内側縦板２３）に取付けても良い。
【００４４】
また、小口閉塞部材を本発明のように構成することで、小口閉塞部材を射出成形で製造する際の金型の数を減らすこともできる。
例えば、断面形状は異なるが室内側部の見付け寸法は同一である５種類の補強部材２０を備えた形材本体３０と、断面形状の異なる（見付け寸法は補強部材２０と同一）３種類の意匠部材４０との組合わせによって、断面形状が異なるサッシ用形材が１５種類できるが、その１５種類のサッシ用形材の補強部材２０、意匠部材４０上部の小口を従来の分割されていない小口閉塞部材で閉塞する場合は、断面形状の異なる１５種類の上部用の小口閉塞部材が必要となる。よって、前記１５種類のサッシ用形材の上部用の小口閉塞部材を製造するためには、１５種類もの金型が必要となる。
しかし、本発明の上部小口閉塞部材５０であれば、第１上部閉塞部材５１を５種類、第２上部閉塞部材５２を３種類用意してそれらを組合わせれば良い。従って、前記１５種類のサッシ用形材の上部用の小口閉塞部材を製造するために金型は８種類あれば良く、従来の小口閉塞部材よりも金型の数が少なくコストが易く済む。
【００４５】
また、意匠部材４０の取付けは前述のことに限ることはなくスナップ式に嵌合して取付けても良いし、ビス止めしても良いし、接着によって取付けても良く、さらには、それらを組み合わせて取付けても良い。
また、意匠部材４０の断面形状は前述のものに限ることはなく、任意な断面形状とすることができるし、必ずしも中空部を有する断面形状に限ることはなく、、コ字形状などの断面形状でも良い。
【００４６】
また、前述の実施の形態は障子の召合せ框９であるが、片引きサッシの召合せ竪中骨も同様で、その場合には例えば上枠３、下枠４に固定して用いる。
【００４７】
【発明の効果】
請求項１に係る発明によれば、形材本体３０の補強部材２０の室内側部に、断面形状の異なる意匠の意匠部材４０を取付けることで形材本体３０を共通して室内側部分の意匠が異なるサッシ用形材とした場合に、補強部材２０の小口を閉塞する第１閉塞部材を共通とし、意匠部材４０の小口を閉塞する第２閉塞部材のみを、その意匠部材４０の断面形状に合わせて変更することで対応できる。
よって、断面形状が異なる種々の意匠部材４０を取付けたサッシ用形材に対応できる。
【００４８】
請求項２に係る発明によれば、第１閉塞部材は補強部３０ａの中空部に嵌合して取付けられるし、第２閉塞部材は意匠部材４０の内部に嵌合して取付けられるから、第１・第２閉塞部材を強固に取付けできると共に、簡単に取付け、取外しできる。
【００４９】
請求項３に係る発明によれば、上部小口閉塞部材５０によって補強部材２０、意匠部材４０の上部の小口を閉塞できるし、その第１上部閉塞部材５１の室内側部と第２上部閉塞部材５２の室外側部が重なり合っているから、その第１・第２上部閉塞部材５１，５２の間に隙間が生じることがない。
また、下部小口閉塞部材６０によって補強部材２０、意匠部材４０の下部の小口を閉塞できるし、その第１下部閉塞部材６１の室内側部の上面に第２下部閉塞部材６２の室外側部の下面が重なり合っているから、この下部小口閉塞部材６０によって結露水を受けて室外側に排水するようにした場合に、第２下部閉塞部材６２に流れ落ちた結露水が第１下部閉塞部材６１にスムーズに流れ、その両者の間から結露水が洩れることがない。
【００５０】
請求項４に係る発明によれば、第１上部閉塞部材５１と下部小口閉塞部材６０を取付けたままで、第２上部閉塞部材５２のみを取外しすることで、意匠部材４０を取付け、取外しできる。
【００５１】
請求項５に係る発明によれば、サッシ枠１を建物の取付開口部に取付け、サッシ用形材をサッシ枠１に設けた状態で、第２上部閉塞部材５２のみを取外しすることで、意匠部材４０を取付け、取外しできるから、サッシを建物に取付けた状態で、意匠部材４０が損傷した場合などに、その意匠部材４０を交換できる。
よって、このサッシ用形材は障子の召合せ框、召合せ竪中骨として好適である。
【図面の簡単な説明】
【図１】引違いサッシの内観図である。
【図２】召合せ框と上部小口閉塞部材、下部小口閉塞部材の斜視図である。
【図３】図１の縦断面図である。
【図４】召合せ框上部と上部小口閉塞部材の斜視図である。
【図５】上部小口閉塞部材を下面から見た斜視図である。
【図６】上部小口閉塞部材の取付け状態の斜視図である。
【図７】下部小口閉塞部材の斜視図である。
【図８】下部小口閉塞部材の取付け状態の斜視図である。
【図９】意匠部材を外した状態の召合せ框の斜視図である。
【図１０】第１取付受部材の斜視図である。
【図１１】第２取付受部材の斜視図である。
【図１２】召合せ框の第１取付受部材部分の横断面図である。
【図１３】召合せ框の第２取付受部材部分の横断面図である。
【図１４】意匠部材の取外しの説明用斜視図である。
【符号の説明】
１…サッシ枠、２…障子、９…召合せ框（サッシ用形材）、１０…本体、２０…補強部材、２０ａ…上端面、２０ｎ…下端面、３０…形材本体、３０ａ…補強部、３０ｂ…中空部、４０…意匠部材、４０ａ…上端面、４０ｂ…中空部、４０ｃ…下端面、５０…上部小口閉塞部材、５１…第１上部閉塞部材、５２…第２上部閉塞部材、５３…横板、５４…突起部、５７…横板、５８…突起部、６０…下部小口閉塞部材、６１…第１下部閉塞部材、６２…第２下部閉塞部材、６３…横板、６４…突起部、６５…横板、６６…突起部、７０…第１取付受部材、８０…第２取付受部材。
【図１】
2004293243.tif 000003
【図２】
2004293243.tif 000004
【図３】
2004293243.tif 000005
【図４】
2004293243.tif 000006
【図５】
2004293243.tif 000007
【図６】
2004293243.tif 000008
【図７】
2004293243.tif 000009
【図８】
2004293243.tif 000010
【図９】
2004293243.tif 000011
【図１０】
2004293243.tif 000012
【図１１】
2004293243.tif 000013
【図１２】
2004293243.tif 000014
【図１３】
2004293243.tif 000015
【図１４】
2004293243.tif 000016